(57)【要約】【課題】フチなし印刷を行う。【解決手段】スキャナーと記録ヘッドを搭載したキャリッジを記録媒体に沿って移動させた際に前記キャリッジの移動量に応じたエンコーダパルスを発生するエンコーダを有し、前記スキャナーヘッドには、紙の有り無しを検知する手段を有し、前記エンコーダパルスからキャリッジ位置を計時する手段と印字を開始し、終了する領域信号を生成する手段と吐出を行うタイミングを生成する手段と紙なしを検知後からのヒートパルス数を計時する手段を備えたことを特徴とするインクジェット記録装置。【選択図】　　　　図１
2004130603.tif 000002
【特許請求の範囲】
【請求項１】
スキャナーヘッドと記録ヘッドを搭載したキャリッジを記録媒体に沿って移動させた際に、前記キャリッジの移動量に応じたエンコーダパルスを発生するエンコーダを有し、前記スキャナーヘッドには、紙の有り無しを検地する手段を有し、前記エンコーダパルスからキャリッジ位置を計時する手段と、印字を開始し、終了する領域信号を生成する手段と前記領域内でヒートを行うタイミングを生成する手段
と紙なしを検知後からのヒートパルス数を計時する手段を備えたことを特徴とするインクジェット記録装置。
【請求項２】
請求項１の印字を開始する位置及び終了するための手段において、固定値の印字開始位置で印字を開始し、スキャナーヘッドにより紙の無くなったことを検地した後、固定値のヒートパルスを計時した後、印字を終了することを特徴とするプリント方法。
【請求項３】
請求項２において、印字を開始する位置及び、紙の無くなったことを検地した後、印字を終了するヒートパルス数の値が書き換え可能であることを特徴とするプリント方法。
【発明の詳細な説明】
【０００１】
【発明の属する技術分野】
本発明は、スキャナーヘッドと記録ヘッドを同時に搭載するキャリッジをプリント媒体上を移動してデータの記録を行う記録処理に関するものである。
【０００２】
【従来の技術】
インクジェット記録装置は記録ヘッドを搭載するキャリッジを記録媒体として、記録用紙に対して走査させながら記録を行う。このような方式の記録装置は、キャリッジ位置と記録（印字）タイミングの整合が不可欠である。この中には、キャリッジの位置検出のためにエンコーダを備えているインクジェット記録装置がある。エンコーダには、磁気式や光学式等の種類があり、可動部の一定移動量に合わせたパルス出力を生成する。生成するパルス出力の一例としては、Ａ相とＢ相の２相を９０°ずらした波形が生成されるものがある。エンコーダ使用したインクジェット記録装置は、エンコーダ信号により、キャリッジ位置や順方向、逆方向等の情報を検出し、更にはエンコーダパルスを元に印字タイミングを決定するヒートパルスや印字領域を生成する装置がある。
【０００３】
【発明が解決しようとする課題】
エンコーダを使用したインクジェット記録装置ではエンコーダによる位置に対して印字を開始、終了したい領域を設定し、その領域内でのヒートトリガに応じてインクを吐出する装置がある。このようなインクジェット記録装置において、最近では、写真画質に近いサンプルを出力できる記録装置が発売されている。このような記録装置において、近年では、紙の全面に印刷ができることが望まれる様になってきている。しかしながら、紙の端部を検出できないため、どうしても紙の領域以外の場所にまで吐出してしまう可能性があった。
【０００４】
【課題を解決するための手段】
上記の課題を解決するために、本発明は、記録ヘッド部にスキャナーヘッドを同時搭載することで、スキャナーヘッドにより紙の有り無しを検出することで、フチなし印刷を可能に使用とするものである。
【０００５】
【発明の実施の形態】
〔実施形態１〕
本実施形態は、シリアル型のインクジェット記録装置としての適応例である。図１は記録装置の全体的なコントロール回路を説明するためのブロック図である。
【０００６】
ＣＰＵ１１は、印字処理を制御するマイコンであり、１２は、プログラムメモリとして用いられるＲＯＭであり、１３はバッファメモリとして用いられるＲＡＭであり、ＣＰＵ１１は、ＲＡＭ１３に格納された記録データ（ホストコンピュータから送られてきた記録データＩ３）に基づいて、記録動作を制御する。また、ＲＡＭ１３には、後述する紙無し状態を検地した後、印字を終了するヒートパルス数を格納するための領域が確保されている。更にヒートパルス数は、固定値としてＲＯＭ１２に格納する場合もある。
【０００７】
エンコーダのエッジ（立ち上がり）を検出するブロック２０は、Ａ相、Ｂ相、９０度の位相差をもったエンコーダ信号＜Ｉ１＞からエンコーダのＡ相の立ち上がりエッジを検出し、更には、ブロック２３のコンペアタイミングを生成する。
【０００８】
位置・速度用カウンタブロック２１では、２０からのＡ相の立ち上がりエッジ検出信号に同期してエンコーダの位置、及びヒートパルス（吐出するタイミングパルス：以後ヒートパルスと略する）周期を計時する。
【０００９】
ヒートパルス生成ブロック２４では、２１で計時されたヒートパルス周期＜Ｂ４＞に沿ってヒートパルス信号＜Ｂ７＞を発生する。
【００１０】
紙なし検出後ヒートパルスカウンタブロック２５では、スキャナーからの紙なし検知信号Ｉ２を検知後、２４ブロックから生成されるヒートトリガパルス数＜Ｂ６＞をカウントするブロックである。
【００１１】
印字領域コンペアブロック２３では、ブロック２１で計時している位置情報＜Ｂ３＞とメモリに格納された各色での印字開始位置が等しくなった時に印字領域信号＜Ｂ５＞をオープンし、２５でのヒートパルス数＜Ｂ６＞とメモリに格納された紙なし検出後からヒートトリガ数が一致した時にクローズする機能を持ったブロックである。
【００１２】
吐出タイミング信号生成ブロック２６では、印字生成ブロック２２において印字データから吐出用データに変換されたデータ＜Ｂ９＞を各色毎の印字領域信号＜Ｂ５＞がオープンしている間のヒートパルス信号＜Ｂ７＞に沿って印字データ＜Ｂ１０＞をヘッドに転送する。
【００１３】
図２は、ＲＯＭ上に固定値として格納している各インクノズル列に対するスキャナーからの紙なし検知信号Ｉ２を検知した後からの、印字領域信号をクローズするヒートトリガパルス数と印字を開始する位置である。
【００１４】
図４は、モノクロインクタンクのみを搭載した印字を行う場合での印字領域信号のオープンとクローズするタイミングを示したものである。本実施形態１では、図２の２００のｂｌａｃｋインクノズル列用ヒートパルス数に４の値が設定され、更には、２０４の印字を開始する位置が１００の時の印字領域信号のオープン・クローズタイミングを示したものである。
【００１５】
エンコーダのＡ相の立ち上がりエッジ毎にＢ３のカウンタ値はアップ・ダウンされ、カウンタ値が１００になった時に、印字領域信号がオープンしている。さらに紙なし検出信号Ｉ２がＬレベルになった後、カウンタ＜Ｂ６＞は、ヒートパルス信号毎にカウンタをアップし、ｂｌａｃｋインクノズル列用ヒートパルス数４と一致すると印字領域信号をクローズしている。
【００１６】
以上のような本実施形態１を実施することで、紙の左右端部でのプラテン上にインクを吐出することなくフチなし印字を行うことが可能となる。
【００１７】
〔実施形態２〕
本実施形態２では、実施形態１において各インクノズル列に対するスキャナーからの紙なし検知信号Ｉ２を検知した後からの、印字領域信号をクローズするヒートトリガパルス数と印字開始位置を固定位置ではなく、ＲＡＭ上に持つことによって、書きかえることが可能とすることを特徴としている。
【００１８】
図４には、ＲＡＭ上でのメモリ空間を示している。
【００１９】
【発明の効果】
以上説明したように、本発明では、印字ヘッドとスキャナーヘッドを同時に搭載した印字装置においてスキャナーヘッドからの紙なし検知信号を使用することで、用紙領域以外の場所にインクを撒き散らすことなく、左右端でのフチなし印字を可能にすることが出来る。
【図面の簡単な説明】
【図１】左右端部でのフチなし印字を行うためのブロック図。
【図２】ＲＯＭ上メモリ空間。
【図３】印字領域信号オープン・クローズタイミング図。
【図４】ＲＡＭ上メモリ空間。
【図１】
2004130603.tif 000003
【図２】
2004130603.tif 000004
【図３】
2004130603.tif 000005
【図４】
2004130603.tif 000006